【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
コネクティッド車両が行う方法であって、
データビットのストリームによる、１つ以上の情報の１つ以上の価値が、Vehicle to Everything（Ｖ２Ｘ）ネットワークを介してエンドポイントに配信されることが意図された有価値情報であることを、
一連の価値属性について、対応する情報の１つ以上の価値評価係数およびエンドポイントの道路状況に基づいて、対応する情報に対する一連の属性毎の価値スコアを評価することと、
前記一連の属性毎の価値スコアを統合して、対応する情報に対する集計価値スコアを計算することと、
によって決定することと、
前記１つ以上の価値及び前記Ｖ２Ｘネットワークのネットワーク状態に基づいて、通信保証アクションを前記データビットのストリームに対して実施することと、
前記Ｖ２Ｘネットワークが輻輳する状況でも、前記１つ以上の情報に含まれる前記有価値情報が前記エンドポイントに送達されるように、前記通信保証アクションに基づいて、前記コネクティッド車両の通信ユニットの動作を変更することと、
を含む方法。
【請求項２】
前記エンドポイントの道路状況を記述する状況データを決定することを更に含み、
前記１つ以上の情報の前記１つ以上の価値は、前記エンドポイントの前記道路状況に少なくとも部分的に基づいて決定される、
請求項１に記載の方法。
【請求項３】
前記１つ以上の情報からの各情報を、対応する情報の１つ以上の価値評価係数を記述する係数データによって注釈付けることを更に含み、
前記対応する情報の価値は、前記１つ以上の価値評価係数に更に基づいて決定される、
請求項２に記載の方法。
【請求項４】
前記１つ以上の価値評価係数は、前記対応する情報を記述するデータビットの組を生成するアプリケーションのタイプ、前記データビットの組によって記述されるデータコンテンツのタイプ、前記データビットの組が生成された時を記述するタイムスタンプ、前記対応する情報の重要度レベル、前記対応する情報の精度、前記対応する情報の分解能、または、前記対応する情報のソースのうちの１つ以上を含む、
請求項３に記載の方法。
【請求項５】
前記有価値情報は、前記エンドポイントの安全性向上に役立つ安全関連情報、前記エンドポイントの効率性向上に役立つ効率関連情報、前記エンドポイントのオペレータが有価値情報として明示的に指定した情報、のうちの少なくとも１つを含む、
請求項１に記載の方法。
【請求項６】
前記一連の価値属性は、時間依存属性、空間依存属性、情報品質属性、条件属性、一般化可能性属性、緊急属性、及び、情報経路属性のうちの１つ以上を含み、
前記集計価値スコアは、前記一連の属性毎の価値スコアの平均である、
請求項１に記載の方法。
【請求項７】
前記一連の属性毎の価値スコアを統合して、前記集計価値スコアを計算することは、
階層分析法を実行して、前記一連の属性毎の価値スコアに基づいて、前記対応する情報の前記集計価値スコアを計算することを含む、
請求項１に記載の方法。
【請求項８】
前記階層分析法を実行して、前記集計価値スコアを計算することは、
前記一連の価値属性からの各価値属性の対応するアプリケーション依存重みを決定することと、
各価値属性の前記対応するアプリケーション依存重みに基づいて、前記対応する情報の前記集計価値スコアとして前記一連の属性毎の価値スコアの加重平均を計算することと、
を含む、請求項７に記載の方法。
【請求項９】
前記通信保証アクションを前記データビットのストリームに対して実施することは、
前記データビットのストリームに含まれる、前記１つ以上の情報をそれぞれ記述する１つ以上のデータビットの組をキューに格納することと、
前記１つ以上の情報の前記１つ以上の価値に基づいて前記キュー内の前記１つ以上のデータビットの組をソートすることと、
前記コネクティッド車両の前記通信ユニットが、前記１つ以上の情報に含まれる他の情報よりも前に前記有価値情報を前記エンドポイントに送信するように構成されるように、前記キュー内の前記１つ以上のデータビットの組の順序に基づいて、前記コネクティッド車両の前記通信ユニットに前記１つ以上のデータビットの組を順次転送することと、
を含む、請求項１に記載の方法。
【請求項１０】
前記Ｖ２Ｘネットワークの前記ネットワーク状態を記述するネットワークデータを決定することを更に含み、
前記通信保証アクションを前記データビットのストリームに対して実施することは、
前記Ｖ２Ｘネットワークの前記ネットワーク状態が所定の輻輳閾値を超えることに応答して、前記データビットのストリームに対して実行される１つ以上の改善アクションをトリガーすることを含む、
請求項１に記載の方法。
【請求項１１】
前記１つ以上の改善アクションは、
前記コネクティッド車両の前記通信ユニットの送信速度が低減されるように、前記データビットのストリームの送信速度を低減すること、
前記コネクティッド車両の前記通信ユニットが、前記有価値情報を記述する１つ以上の残りのデータビットの組を、前記Ｖ２Ｘネットワークを介して前記エンドポイントに送信するように、前記１つ以上の価値に基づいて、前記データビットのストリームから１つ以上のデータビットの組を破棄すること、
Ｖ２Ｘネットワークの１つ以上のタイプに対応する１つ以上のネットワークインターフェースが、前記有価値情報を前記エンドポイントに並列に送信するために選択されるようなハイブリッドネットワーキング構成を実施すること、及び
前記有価値情報を前記エンドポイントに複数回送信すること、
のうちの１つ以上を含む、請求項１０に記載の方法。
【請求項１２】
前記有価値情報を記述する前記１つ以上の残りのデータビットの組は、所定の価値閾値を超える価値にそれぞれ対応し、
前記１つ以上の情報に含まれる他の情報を記述する、破棄される前記１つ以上のデータビットの組は、前記所定の価値閾値未満の価値にそれぞれ対応する、
請求項１１に記載の方法。
【請求項１３】
前記有価値情報を記述する前記１つ以上の残りのデータビットの組は、前記１つ以上の情報に含まれる他の情報を記述する、破棄される前記１つ以上のデータビットの組のそれぞれを超える価値にそれぞれ対応する、
請求項１１に記載の方法。
【請求項１４】
コネクティッド車両の車載コンピュータシステムを含むシステムであって、前記車載コンピュータシステムは、
通信ユニットと、
プロセッサと、
前記プロセッサによって実行された場合に、
データビットのストリームによる、１つ以上の情報の１つ以上の価値が、Vehicle to Everything（Ｖ２Ｘ）ネットワークを介してエンドポイントに配信されることが意図された有価値情報であることを、
一連の価値属性について、対応する情報の１つ以上の価値評価係数およびエンドポイントの道路状況に基づいて、対応する情報に対する一連の属性毎の価値スコアを評価することと、
前記一連の属性毎の価値スコアを統合して、対応する情報に対する集計価値スコアを計算することと、
によって決定することと、
前記１つ以上の価値及び前記Ｖ２Ｘネットワークのネットワーク状態に基づいて、通信保証アクションを前記データビットのストリームに対して実施することと、
前記Ｖ２Ｘネットワークが輻輳する状況でも、前記１つ以上の情報に含まれる前記有価値情報が前記エンドポイントに送達されるように、前記通信保証アクションに基づいて、前記コネクティッド車両の通信ユニットの動作を変更することと、
を前記プロセッサに実行させるコンピュータコードを記憶する非一時的メモリと、を含むシステム。
【請求項１５】
データビットのストリームによる、１つ以上の情報の１つ以上の価値が、Vehicle to Everything（Ｖ２Ｘ）ネットワークを介してエンドポイントに配信されることが意図された有価値情報であることを、
一連の価値属性について、対応する情報の１つ以上の価値評価係数およびエンドポイントの道路状況に基づいて、対応する情報に対する一連の属性毎の価値スコアを評価することと、
前記一連の属性毎の価値スコアを統合して、対応する情報に対する集計価値スコアを計算することと、
によって決定することと、
前記１つ以上の価値及び前記Ｖ２Ｘネットワークのネットワーク状態に基づいて、通信保証アクションを前記データビットのストリームに対して実施することと、
前記Ｖ２Ｘネットワークが輻輳する状況でも、前記１つ以上の情報に含まれる前記有価値情報が前記エンドポイントに送達されるように、前記通信保証アクションに基づいて、コネクティッド車両の通信ユニットの動作を変更することと、
をプロセッサに実行させるためのプログラム。